(57)【要約】      （修正有）【課題】スプレーガンの分解洗浄を容易かつ迅速に行うことが可能なスプレーガンを提供する。【解決手段】塗装用スプレーガンであり、塗料受入口１２と受け入れた塗料をワークに向けて噴射する塗料噴射口１３を有した塗料供給路１１と、先端が塗料噴射口１３の周囲で開口されるとともに基端にエアー注入手段が連結され塗料噴射口１３の周囲にエアーを供給することで塗料噴射口１３より吐出された塗料を霧化するとともにこの霧化した塗料を任意のパターンにして先端側へ噴射するエアー供給路１９、２０と、塗料噴射口１３を開閉自在としたニードル１４とニードル１４を進退させるニードル稼動手段を具備したスプレーガン本体と、スプレーガン本体に脱着自在に装着された、少なくともスプレーガン本体を分解可能なドライバー２３を有するドライバー部２１を備えた。【選択図】図４
0003210510.tif 000002
【実用新案登録請求の範囲】
【請求項１】
塗装装置に装着されて使用される塗装用スプレーガンであって、
塗料受入口（１２）と該塗料受入口（１２）から受け入れた塗料をワークに向けて噴射するための塗料噴射口（１３）とを有した塗料供給路（１１）と、先端が前記塗料噴射口（１３）の周囲の任意の箇所で開口されるとともに基端にエアー注入手段が連結され、前記塗料噴射口（１３）の周囲にエアーを供給することで、前記塗料噴射口（１３）より吐出された塗料を霧化するとともにこの霧化した塗料を任意のパターンにして先端側へ噴射するためのエアー供給路（１９、２０）と、進退動作によって前記塗料噴射口（１３）を開閉自在としたニードル（１４）と、該ニードル（１４）を進退させるためのニードル稼動手段と、を具備したスプレーガン本体（２）と、
該スプレーガン本体（２）に脱着自在に装着された、少なくともスプレーガン本体（２）を分解可能なドライバー（２３）を有するドライバー部（２１）と、を備えた塗装用スプレーガン。
【請求項２】
前記ドライバー部（２１）は、前記スプレーガン本体（２）の後端に脱着自在に装着された取付部（２２）と、該取付部（２２）に突設させた、前記スプレーガン本体（２）を組み付けているボルトを緩めることが可能なドライバー（２３）と、スプレーガン本体（２）に装着した状態の取付部（２２）をドライバー（２３）とともに覆い隠す形態で前記スプレーガン本体（２）に脱着自在に取り付けられるカバー（２４）と、を具備したことを特徴とする請求項１に記載の塗装用スプレーガン。
【請求項３】
前記ニードル稼動手段は、
前記ニードル（１４）が固定されるとともに前記スプレーガン本体（３）内に移動自在に挿装されたピストン（１５）と、該ピストン（１５）を塗料噴射口（１３）側に付勢するバネ（１６）と、前記ピストン（１５）をエアー圧力で反塗料噴射口（１３）側へ押圧するためのエアー供給手段（１８）と、を具備したことを特徴とする請求項１又は請求項２における塗装用スプレーガン。
【考案の詳細な説明】
【技術分野】
【０００１】
本考案は塗装用スプレーガンに係り、より詳しくは、工具を備えた塗装用スプレーガンに関する。
【背景技術】
【０００２】
近年、塗装の分野においては、被塗装物（以下「ワーク」と言う。）を大量に塗装する場合において、塗装装置を用いて自動的に塗装を行なう方法が採用されている。
【０００３】
即ち、この塗装装置では、ワークに塗料を噴射するためのスプレーガンがロボットアームに着脱自在に装着されており、スプレーガンに塗料と噴霧用のエアーを供給することにより、スプレーガンからワークに向けて塗料を噴霧してワークの塗装を行うこととしている。
【先行技術文献】
【特許文献】
【０００４】
【特許文献１】特開２０１０−１３７２０２号公報
【特許文献２】特開２００７−２１４５９号公報
【特許文献３】特開２００５−２３８０９２号公報
【考案の概要】
【考案が解決しようとする課題】
【０００５】
ところで、塗装装置においては、ワークの変更等に伴って塗料の色替えを行うことがあるが、この色替えに際しては、シンナー等の洗浄剤をスプレーガンに供給することで、スプレーガン内部の塗料流路等の洗浄を行う。
【０００６】
しかし、シンナー等の洗浄剤を供給するのみではスプレーガン内部の洗浄を完全に行うことは難しく、塗料が残ってしまうことがある。そしてそれにより、色替え後の塗料による塗装が正確に行うことができない恐れも考えられる。
【０００７】
そのため、従来から色替えに際してのスプレーガンの洗浄においては、スプレーガンをロボットアーム等から取り外すとともに、スプレーガンを分解して内部の洗浄を行うことが一般的である。
【０００８】
そして、この分解洗浄に際してのロボットアームからの取り外し及び分解は、六角棒レンチ等の工具を用いて行われるが、その際に従来は、工具箱等を作業現場の近傍まで持ち運んできて、取り外し、分解作業を行っていた。そのため、従来の洗浄作業では、工具箱等の持ち運び作業が不可欠になっており、作業全体が煩雑になっており、更に、工具等の紛失も考えられていた。
【０００９】
そこで、本考案は、スプレーガンの分解洗浄を容易かつ迅速に行うことが可能な塗装用スプレーガンを提供することを課題としている。
【課題を解決するための手段】
【００１０】
本考案の塗装用スプレーガンは、
塗装装置に装着されて使用される塗装用スプレーガンであって、
塗料受入口と塗料受入口から受け入れた塗料をワークに向けて噴射するための塗料噴射口とを有した塗料供給路と、先端が塗料噴射口の周囲の任意の箇所で開口されるとともに基端にエアー注入手段が連結され、塗料噴射口の周囲にエアーを供給することで塗料噴射口より吐出された塗料を霧化するとともにこの霧化した塗料を任意のパターンにして先端側へ噴射するためのエアー供給路と、進退動作によって塗料噴射口を開閉自在としたニードルと、ニードルを進退させるためのニードル稼動手段と、を具備したスプレーガン本体と、
スプレーガン本体に脱着自在に装着された、少なくともスプレーガン本体を分解可能なドライバーを有するドライバー部と、を備えたことを特徴としている。
【考案の効果】
【００１１】
本考案の塗装用スプレーガンでは、スプレーガン本体を分解可能なドライバーを有するドライバー部を、スプレーガン本体に脱着自在に備えている。
【００１２】
そのために、塗料の色替えに際してスプレーガンを分解するときには、ドライバー部をスプレーガン本体より取り外し、その取り外したドライバー部によってスプレーガンを分解することが可能であり、工具箱を作業現場まで持ち運ぶ必要が無くなり、作業の効率化を図ることが可能である。
【図面の簡単な説明】
【００１３】
【図１】本考案の塗装用スプレーガンの実施例を示す斜視図である。
【図２】本考案の塗装用スプレーガンの実施例を示す斜視図であり、ドライバーを露出させた状態を示している。
【図３】本考案の塗装用スプレーガンの実施例を示す斜視図であり、ドライバー部を取り外した状態を示している。
【図４】本考案の塗装用スプレーガンの内部構造を説明するための断面図である。
【考案を実施するための形態】
【００１４】
本考案の塗装用スプレーガンは、塗装装置のロボットアーム等に装着され、シリンジ等の塗料供給手段から供給された塗料を受け入れて、この受け入れた塗料を霧化しつつワークに向けて噴射するためのスプレーガン本体を有している。
【００１５】
そして、このスプレーガン本体は、塗料供給路を有しており、この塗料供給路は、塗料受入口と、この塗料受入口から受け入れた塗料をワークに向けて噴射するための塗料噴射口を有している。
【００１６】
また、スプレーガン本体にはエアー供給路が形成されている。そしてこのエアー供給路は、先端が塗料噴射口の周囲の任意の箇所で開口され、基端にはエアー注入手段が連結され、塗料噴射口の周囲にエアーを供給することで、塗料噴射口より吐出された塗料を霧化するとともに、この霧化した塗料を任意のパターンにして先端側へ噴射可能としている。
【００１７】
更にスプレーガン本体は、進退動作によって塗料噴射口を開閉自在としたニードルと、このニードルを進退させるためのニードル稼動手段を具備している。
【００１８】
そして、このスプレーガン本体には、着脱自在にしてドライバー部が装着されており、このドライバー部は、スプレーガン本体を分解可能なドライバーを有するものとしている。
【００１９】
ここで、ドライバー部は、スプレーガン本体の後端に脱着自在に装着された取付部と、この取付部に突設させた、スプレーガンをロボットアーム等に連結しているボルト類やスプレーガン本体を組み付けているボルト類を緩めることが可能なドライバーと、スプレーガン本体に装着した状態の取付部をドライバーとともに覆い隠す形態でスプレーガン本体に脱着自在に取り付けられるカバーを具備するとよく、これにより、使用しないときにドライバーが邪魔になることを防止可能である。
【００２０】
また、ニードルを進退させるためのニードル稼動手段は、ニードルが固定され  るとともにスプレーガン本体内に移動自在に挿装されたピストンと、このピストンを塗料噴射口側に付勢するバネと、ピストンをエアー圧力で反塗料噴射口側へ押圧するためのエアー供給手段を具備して構成するとよく、これにより、ニードルの稼働を容易に行うことができる。
【実施例１】
【００２１】
本考案の塗装用スプレーガンの実施例について図面を参照して説明すると、図１、２、３は、本実施例の塗装用スプレーガンを示す斜視図である。また、図４は、図１におけるＡ−Ａ線断面図である。そして、図において１が本実施例の塗装用スプレーガンであり、本実施例のスプレーガン１は、スプレーガン本体と、このスプレーガン本体に脱着自在に装着したドライバー部を具備しており、スプレーガン本体は、塗装装置のロボットアーム等に装着され、シリンジ等の塗料供給手段から供給された塗料を受け入れて、この受け入れた塗料を霧化しつつワークに向けて噴射するために用いられる。またドライバー部は、スプレーガンをロボットアームに取り付けているボルト類やスプレーガンを組みつけているボルト類を緩めることが可能なドライバーを有している。
【００２２】
ここで、前記スプレーガン本体について説明すると、図において２がスプレーガン本体であり、本実施例において前記スプレーガン本体２は、本体部を有している。即ち、図において３が本体部であり、本実施例において前記本体部３は、先端側に位置するヘッド側本体部４と、基端側に位置する基端側本体部６と、ヘッド側本体部４と基端側本体部６間に位置する中間側本体部５に３分割されており、図示しないボルトによって連結されている。なお、本実施例においては、塗料を噴射する側を先端としており、図において左側が先端側である。
【００２３】
次に、図において７はキャップである。即ち、本実施例において前記本体部３の先端にはキャップ７が連結されており、このキャップ７より塗料を噴霧可能としている。なお、図において８は本体部３とキャップ７の連結部分近傍の外周を覆っているキャップナットである。
【００２４】
次に、前記スプレーガン本体２の構造を図４を参照して説明すると、本実施例において前記スプレーガン本体２は、塗料供給路を有しており、この塗料供給路を介して、スプレーガン本体２に受け入れた塗料を噴射可能としている。
【００２５】
即ち、図において１１が塗料供給路であり、この塗料供給路１１は、シリンジポンプ等の塗料供給手段から供給された塗料を受け入れる塗料受入口１２と、この塗料受入口１２から受け入れた塗料をワークに向けて噴射するための塗料噴射口１３を有している。そして、塗料受入口１２は本体部３の側壁側で開口とされており、塗料噴射口１３は、前記キャップ７の先端面で開口とされている。
【００２６】
次に、図４において１４は、前記塗料噴射口１３を開閉するためのニードルであり、このニードル１４は、ニードル稼働手段によって、前記本体部３の前後方向に移動自在とされ、前進することで前記塗料噴射口１３を閉鎖し、後退することで前記塗料噴射口１３を開放することとしている。
【００２７】
ここで、前記ニードル稼働手段について説明すると、本実施例において前記塗料供給路１１は、前記塗料噴射口１３から本体部３の後方側へ任意の距離だけ伸びた後に、本体部３の側壁方向へ向けて進路を変えて進み、本体部３の側壁において塗料受入口１２が開口している。
【００２８】
一方、前記ニードル１４は、本体部３内において、本体部３の中心部分を貫通して配設され、先端側は前記塗料供給路１１内に位置し、基端側は、本体部３内において、前記塗料供給路１１内から外れて塗料供給路１１の下方に突出し、突出した部分には、本体部３内に先後方向へ移動自在としたピストン１５が固定されている。そして、ピストン１５は、バネ１６によって本体部３の先端方向へ付勢されており、これにより通常は、前記ニードル１４は、ピストン１５とともに本体部３の先端方向へ移動し、先端部分で塗料噴射口１３を閉鎖している。
【００２９】
次に、前記本体部３の内部には、ピストン１５の反バネ側にエアー室１７が形成されるとともに、基端側が本体部３の側壁で開口とされて先端側が前記エアー室１７に連結されたニードル稼動用エアー供給路１８が形成されている。そしてこのニードル稼働用エアー供給路１８の基端側の開口には、図示しないエアー注入手段が連結され、前記ニードル稼動用エアー供給路１８を介して前記エアー室１７内にエアーを供給することで、ピストン１５は本体部３内の基端側へ押圧され、それに伴って、ニードル１４が本体部３の基端側へ移動し、ニードル１４の先端による塗料噴射口１３の閉鎖を解除することとしている。従って、本実施例では、エアー室１７内にエアーを供給し、あるいは供給しているエアーを抜くことにより、ニードル１４を稼動して塗料噴射口１３を開閉することが可能である。但し、本考案のスプレーガンでは、必ずしも前述のような構成でニードル１４を稼働する必要は無く、ニードル１４を本体部３の前後方向に移動することで塗料噴射口１３を開閉自在であれば、いずれの構成としてもよい。
【００３０】
次に、図において１９は霧化エアー供給路である。即ち、本実施例のスプレーガン１において前記本体部３には、塗料噴射口１３から吐出された塗料を霧化してワークに向けて噴射するための霧化エアー供給路１９が形成されている。  そして、この霧化エアー供給路１９は、先端部が前記塗料噴射口１３の周囲の任意の箇所で開口とされており、基端側は本体部３の側壁で開口とされ、エアーホース等のエアー注入手段が連結される。そして、この霧化エアー供給路１９を介して塗料噴射口１３の周囲に霧化エアーを供給することで、塗料噴射口１３より吐出された塗料を霧化することを可能としている。
【００３１】
次に、図において２０はパターンエアー供給路である。即ち、本実施例のスプレーガン１において前記本体部３には、霧化エアーにより霧化された塗料の噴出パターンを任意のパターンに変更するためのパターンエアー供給路２０が形成されている。そして、このパターンエアー供給路２０は、先端部は、前記霧化エアー供給路１９の先端部開口部よりも外側で開口とされており、基端側は本体部３の側壁で開口とされ、エアーホース等のエアー注入手段が連結される。そして、このパターン供給路２０を介して、前記霧化エアー供給路１９の先端部開口部の周囲にパターンエアーを供給することで、霧化エアーにより霧化された塗料の噴出パターンを変更することを可能としているなお図において２５はシール用のＯリングである。
【００３２】
次に、スプレーガン本体２に着脱自在に装着したドライバー部について説明すると、図において２１がドライバー部であり、このドライバー部２１は、前記スプレーガン本体３における基端側本体部６に脱着自在に連結された取付部２２を有しており、この取付部２２には、スプレーガン本体２の基端側に向けて、ドライバー２３が突設されている。
【００３３】
そしてこのドライバー２３は、スプレーガン１をロボットアーム等に取り付けているボルト類や、スプレーガン本体２を組み付けているボルト類を緩めることが可能なドライバーとしている。なお、図においては理解を容易にするためにドライバー２３を丸棒状にしているが、本実施例においては、本体部３の組みつけに際しては六角穴付ネジを用いており、従って前記ドライバー２３は、六角棒レンチドライバーとしている。但し、ドライバー２３の種類は限定されず、スプレーガン１をロボットアーム等に連結しているボルト類や、スプレーガン本体２を組み付けているボルト類を緩めることが可能であればいずれでも良い。
【００３４】
次に、図において２４はカバーである。即ち、本実施例におけるドライバー部２１では、前記スプレーガン本体２に脱着自在に取り付けられたカバー２４を有しており、このカバー２４は、取付部２２をスプレーガン本体２に装着した状態において、取付部２２をドライバー２３とともに覆い隠すために用いられ、本実施例においては、前記取付部２２に脱着自在に連結されることで、スプレーガン本体２に脱着自在に取り付けられている。従って、このカバー２４の存在により、ドライバー２３を使用しないときは、ドライバー２３がスプレーガンの基端側に突出することがなく、ドライバー２３が邪魔になることが無いとともに、安全を確保することが可能である。なお本実施例では、前記カバー２４は取付部２２に取り付けられることでスプレーガン本体２に取り付けられているが、スプレーガン本体２に直接、脱着自在に装着してもよい。
【００３５】
次に、このように構成される本実施例のスプレーガン１の作用について説明すると、本実施例のスプレーガン１を用いてワークに向けて塗料を噴射する場合には、まず、前記ニードル稼働用エアー供給路１８を介してエアー室１７にエアーを供給し、ピストン１５を本体部３内の基端側へ押圧し、それにより、ニードル１４を本体部３の基端側へ移動し、ニードル１４の先端による塗料噴射口１３の閉鎖を解除する。そして、その状態で、本体部３の塗料受け入れ口１２から塗料供給路１１に塗料を供給し、この塗料供給路１１に供給された塗料を塗料噴射口１３から本体部３の外に吐出するとともに、霧化エアー供給路１９及びパターンエアー供給路２０にエアーを供給して、塗料噴射口１３の周囲に霧化エアーを供給するとともに、霧化エアー供給路１９の先端部開口部の周囲にパターンエアーを供給する。
【００３６】
そうすると、塗料噴射口１３から吐出された塗料は、霧化エアーによって霧化されるとともにパターンエアーによって任意のパターンに変更された後に、ワークに向かって噴射される。
【００３７】
次に、ワークの変更等に伴う塗料の色替えに際して、スプレーガンの分解洗浄を行う場合には、まずカバー２４を取り外して取付部２２を露出させ、更に、取付部２２をスプレーガン本体２より取り外し、ドライバー２３を使用可能な状態にする。
【００３８】
そして、スプレーガン本体２から取り外した取付部２２に突設しているドライバー２３を用いて、まず、スプレーガン本体２をロボットアーム等から取り外して、その後に、本体部３を分解して、スプレーガン本体２の内部の洗浄を行う。なお、カバー２４を装着した状態を示す図が図１であり、カバー２４を取り外して取付部２２を露出させた状態が図２の状態である。また、取付部２２をスプレーガン本体２より取り外してドライバー２３を使用可能にした状態が図３の状態である。
【００３９】
このように、本実施例の塗装用スプレーガンでは、スプレーガンをロボットアーム等に取り付けているボルト等を緩めることができるとともに、スプレーガンを組みつけているボルト類を緩めることが可能なドライバー２３を有しているドライバー部２１を脱着自在に有しているため、塗料の色替えに際してスプレーガンを分解するときには、ドライバー部をスプレーガン本体より取り外すことで、その取り外したドライバー部によって、スプレーガンをロボットアーム等から取り外すとともに、スプレーガンを分解することが可能であり、工具箱を作業現場まで持ち運ぶ必要が無くなり、作業の効率化を図ることが可能である。
【産業上の利用可能性】
【００４０】
本考案の塗装用スプレーガンでは、スプレーガンを分解可能なドライバーを脱着自在に備えているため、塗装装置から取り外したり、分解したりする可能性のあるスプレーガンの全般に適用可能である。
【符号の説明】
【００４１】
１    スプレーガン
２    スプレーガン本体
３    本体部
４    ヘッド側本体部
５    中間側本体部
６    基端側本体部
７    キャップ
８    キャップナット
１１    塗料供給路
１２    塗料受入口
１３    塗料噴射口
１４    ニードル
１５    ピストン
１６    バネ
１７    エアー室
１８    ニードル稼働用エアー供給路
１９    霧化エアー供給路
２０    パターンエアー供給路
２１    ドライバー部
２２    取付部
２３    ドライバー
２４    カバー
２５    Ｏリング
【図１】
0003210510.tif 000003
【図２】
0003210510.tif 000004
【図３】
0003210510.tif 000005
【図４】
0003210510.tif 000006